(57)【要約】【課題】コンテンツに対する利用者の数や利用状況を反映した、より厳密なアクセス回数を得られるようにする。【解決手段】情報処理装置からサーバ装置にコンテンツを送信する際に、情報処理装置はサーバ装置からコンテンツの識別子を受信する。この情報処理装置からコンテンツへの受信時にコンテンツ識別子を使用することで、コンテンツを送信した情報処理装置と受信した情報処理装置が同一であることを識別する。【選択図】図６
2012146014.tif 000002
【特許請求の範囲】
【請求項１】
情報処理装置とサーバ装置からなるネットワークサービスシステムであって、
前記情報処理装置は、
前記サーバ装置にコンテンツを送信するコンテンツ送信手段と、
前記コンテンツの識別情報を前記サーバ装置から受信する識別情報受信手段と、
前記識別情報受信手段により受信されたコンテンツの識別情報を記憶する識別情報記憶手段と、
前記サーバ装置からコンテンツを受信するにあたり、受信対象であるコンテンツの識別情報が前記識別情報記憶手段に記憶されているか否かを判定する判定手段と、
前記サーバ装置に前記コンテンツの受信要求を送信する受信要求送出手段とを有し、
前記サーバ装置は、
前記情報処理装置から送信されたコンテンツを記憶する記憶手段と、
前記コンテンツの識別情報を送信する識別情報送信手段と、
前記情報処理装置から送信された前記受信要求を受信する受信要求受信手段と、
前記受信要求に従って対応する処理を行う処理手段とを有し、
前記情報処理装置における前記受信要求送出手段は、前記判定手段により前記識別情報が記憶されていると判定された場合には、前記識別情報をサーバ装置に送信し、
前記サーバ装置における前記処理手段は、前記受信要求受信手段により受信した受信要求に識別情報が含まれるか否かを判定し、判定結果に従って前記処理手段にて実行する処理を切り替えることを特徴とするネットワークサービスシステム。
【請求項２】
前記識別情報は、前記サーバ装置が発行するCookieであることを特徴とする請求項１に記載のネットワークサービスシステム。
【請求項３】
前記識別情報は、前記サーバ装置が発行するコンテンツのＵＲＬであることを特徴とする請求項１に記載のネットワークサービスシステム。
【請求項４】
情報処理装置とサーバ装置からなるネットワークサービスシステムであって、
前記情報処理装置は、
前記サーバ装置にファイルデータを送信するファイルデータ送信手段と、
前記ファイルデータの識別情報を前記サーバ装置から受信する識別情報受信手段と、
前記識別情報受信手段により受信されたファイルデータの識別情報を記憶する識別情報記憶手段と、
前記サーバ装置からファイルデータを受信するにあたり、受信対象であるファイルデータの識別情報が前記識別情報記憶手段に記憶されているか否かを判定する判定手段と、
前記サーバ装置に前記ファイルデータの受信要求を送信する受信要求送出手段とを有し、
前記サーバ装置は、
前記情報処理装置から送信されたファイルデータを記憶する記憶手段と、
前記ファイルデータの識別情報を送信する識別情報送信手段と、
前記情報処理装置から送信された前記受信要求を受信する受信要求受信手段と、
前記受信要求に従って対応する処理を行う処理手段とを有し、
前記情報処理装置における前記受信要求送出手段は、前記判定手段により前記識別情報が記憶されていないと判定された場合には、前記ファイルデータの受信完了通知をサーバ装置に送信し、
前記サーバ装置における前記処理手段は、前記受信要求受信手段により受信した受信要求に従ってファイルを送信し、情報処理装置から前記ファイルの受信完了通知を受信したか否かを判定し、受信完了通知を受信すると、記憶領域から前記ファイルを削除することを特徴とするネットワークサービスシステム。
【請求項５】
前記識別情報は、前記サーバ装置が発行するファイルのＵＲＬであることを特徴とする請求項４に記載のネットワークサービスシステム。
【請求項６】
請求項１〜５の何れか１項に記載のネットワークサービスシステムを構成可能であることを特徴とする情報処理装置。
【請求項７】
請求項１〜５の何れか１項に記載のネットワークサービスシステムを構成可能であることを特徴とするサーバ装置。
【発明の詳細な説明】
【技術分野】
【０００１】
本発明はネットワークサービスシステム、情報処理装置及びサーバ装置に関し、特に、コンテンツの送受信を行うために用いて好適な技術に関する。
【背景技術】
【０００２】
情報処理装置と前記情報処理装置にサービスを提供するサーバ装置からなるサービスシステムが広く普及し、オンラインフォトアルバムのようにコンテンツの送受信を行うオンラインサービスが提供されている。このようなオンラインサービスにおいては、情報処理装置からのコンテンツへの受信要求のアクセス回数をカウントすることがある（特許文献１参照）。
【先行技術文献】
【特許文献】
【０００３】
【特許文献１】特開２００９−４３１１９号公報
【発明の概要】
【発明が解決しようとする課題】
【０００４】
前述のようなオンラインサービスでは、コンテンツの所有者が情報処理装置を使ってコンテンツをサーバ装置にアップロードし、その後、コンテンツの受信要求を行ってアクセスし、コンテンツを確認することが頻繁に行われる。一方、コンテンツへの受信要求のアクセス回数は、前記コンテンツの利用者の数や利用状況を調査するのに用いられるため、アクセス回数にコンテンツの所有者の情報処理装置からの受信要求の分が含まれていると、正確な調査を行えないという問題があった。
【０００５】
しかしながら従来の方法では、サーバ装置は情報処理装置からのコンテンツの受信要求があればアクセス回数をカウントすることしかできない。このため、コンテンツをサーバ装置にアップロードした情報処理装置からの受信要求も、それ以外の情報処理装置からの受信要求も同じようにアクセス回数にカウントされてしまう。
【０００６】
そこで、本発明は、コンテンツをサーバ装置にアップロードした情報処理装置からの受信要求をアクセス回数にカウントしないようにして、コンテンツに対する利用者の数や利用状況を反映した、より厳密なアクセス回数を得られるようにすることを目的とする。
【課題を解決するための手段】
【０００７】
本発明のネットワークサービスシステムは、情報処理装置とサーバ装置からなるネットワークサービスシステムであって、
前記情報処理装置は、前記サーバ装置にコンテンツを送信するコンテンツ送信手段と、
前記コンテンツの識別情報を前記サーバ装置から受信する識別情報受信手段と、前記識別情報受信手段により受信されたコンテンツの識別情報を記憶する識別情報記憶手段と、前記サーバ装置からコンテンツを受信するにあたり、受信対象であるコンテンツの識別情報が前記識別情報記憶手段に記憶されているか否かを判定する判定手段と、前記サーバ装置に前記コンテンツの受信要求を送信する受信要求送出手段とを有し、
前記サーバ装置は、前記情報処理装置から送信されたコンテンツを記憶する記憶手段と、前記コンテンツの識別情報を送信する識別情報送信手段と、前記情報処理装置から送信された前記受信要求を受信する受信要求受信手段と、前記受信要求に従って対応する処理を行う処理手段とを有し、
前記情報処理装置における前記受信要求手段は、前記判定手段により前記識別情報が記憶されていると判定された場合には、前記識別情報をサーバ装置に送信し、
前記サーバ装置における前記処理手段は、前記受信要求受信手段により受信した受信要求に識別情報が含まれるか否かを判定し、判定結果に従って前記処理手段にて実行する処理を切り替えることを特徴とする。
【発明の効果】
【０００８】
本発明によれば、コンテンツをサーバ装置にアップロードした情報処理装置からの受信要求を、サーバ装置がアクセス回数にカウントしないようにできるので、コンテンツに対する利用者の数や利用状況を反映した、より厳密なアクセス回数を得られるようになる。
【図面の簡単な説明】
【０００９】
【図１】第１の実施形態のネットワークサービスシステムの構成例を示す図である。
【図２】第１の実施形態に係る情報処理装置の構成例を示すブロック図である。
【図３】第１の実施形態に係る情報処理装置の動作を示すフローチャートである。
【図４】第１の実施形態に係るサーバ装置の動作を示すフローチャートである。
【図５】第１の実施形態に係る情報処理装置の動作を示すフローチャートである。
【図６】第１の実施形態に係るサーバ装置の動作を示すフローチャートである。
【図７】第２の実施形態に係る情報処理装置の動作を示すフローチャートである。
【図８】第２の実施形態に係るサーバ装置の動作を示すフローチャートである。
【図９】第２の実施形態に係る情報処理装置の動作を示すフローチャートである。
【図１０】第２の実施形態に係るサーバ装置の動作を示すフローチャートである。
【発明を実施するための形態】
【００１０】
以下に、図面を参照して、この発明の好適な実施の形態を例示的に詳しく説明する。ただし、この実施形態に記載されている構成要素はあくまで例示であり、この発明の範囲をそれらのみに限定する趣旨のものではない。
【００１１】
（第１の実施形態）
本実施形態のネットワークサービスシステムは、図１および図２のコンピュータ装置によって実現される。
図１に示すとおり、本実施形態のネットワークサービスシステムは、サーバ装置１０１とサーバ装置１０１にネットワーク接続された第１の情報処理装置１０２および第２の情報処理装置１０３で構成される。
図１において、サーバ装置１０１はオンラインフォトアルバムサービスを提供する。このサービスは、個人がインターネットを介して第三者に画像データを公開できるサービスである。
【００１２】
オンラインフォトアルバムのユーザは、第１の情報処理装置１０２で動作するソフトウェアであるウェブブラウザを操作してサーバ装置１０１から提供されるオンラインフォトアルバムサービスを享受し、オンラインフォトアルバムを作成することができる。また、オンラインフォトアルバムのユーザは、第１の情報処理装置１０２で動作するウェブブラウザを操作して画像ファイルをサーバ装置１０１に送信し、オンラインフォトアルバムのコンテンツとして公開することができる。オンラインフォトアルバムの閲覧者は、第２の情報処理装置１０３を操作して、オンラインフォトアルバムに公開されているコンテンツをサーバ装置１０１から取得することができる。
【００１３】
サーバ装置１０１と第１の情報処理装置１０２、および第２の情報処理装置１０３を構成可能なコンピュータシステムは図２のとおりである。図２において、制御部２０１はサーバ装置１０１、第１の情報処理装置１０２および第２の情報処理装置１０３を実現するコンピュータ装置２００全体の動作を制御する。例えば、Central Processing Unit（ＣＰＵ）で構成される。Read Only Memory（ＲＯＭ）２０２は、変更を必要としないプログラムやパラメータを格納する。Random Access Memory（ＲＡＭ）２０３は外部装置などから供給されるプログラムやデータを一時記憶する。
【００１４】
外部記憶装置２０４は、コンピュータ装置２００に固定して設置されたハードディスクやメモリカード、あるいは着脱可能なフレキシブルディスク（ＦＤ）やCompact Disk（ＣＤ）等の光ディスク、磁気や光カード、ＩＣカードなどを含む。２０５はユーザの操作を受け、データを入力するポインティングデバイスやキーボード２０９などの入力デバイスとの操作インタフェイスである。
【００１５】
２０６はコンピュータ装置２００の保持するデータや供給されたデータを表示するためのモニタ機能を有するディスプレイ２１０との表示インタフェイスである。２０７はインターネットなどのネットワーク回線２１１に接続するためのネットワークインタフェイスである。２０８は画像入力デバイス２１２に接続するための画像入力インタフェースである。２１３は制御部２０１〜画像入力インタフェース２０８の各ユニットを通信可能に接続する。
【００１６】
第１の情報処理装置１０２において、画像データをサーバ装置１０１に送信する動作を図３のフローチャートを参照して説明する。
まず、第１の情報処理装置１０２の制御部２０１は、画像データを外部記憶装置２０４から読み出し、オンラインフォトアルバムへの登録対象としてサーバ装置１０１に送信するコンテンツ送信処理を行う(Ｓ３０１）。
【００１７】
Ｓ３０１において、第１の情報処理装置１０２の制御部２０１は、送信対象の画像データの登録先のオンラインフォトアルバムを指定するための指定情報も合わせて送信する。次に、第１の情報処理装置１０２の制御部２０１は、Ｓ３０１で指定したオンラインフォトアルバムに対応するCookieをサーバ装置から受信する識別情報受信処理を行い（Ｓ３０２）、この受信したCookieを外部記憶装置２０４に記憶する(Ｓ３０３）。
【００１８】
次に、図４のフローチャートを参照して、Ｓ３０１およびＳ３０２に関連して、第１の情報処理装置１０２から送信された画像データをサーバ装置１０１で受信する動作を説明する。
まず、サーバ装置１０１において、制御部２０１は第１の情報処理装置１０２から送信された画像データを受信し(Ｓ４０１）、外部記憶装置２０４に記憶する（Ｓ４０２）。
【００１９】
サーバ装置１０１の制御部２０１は、Ｓ４０２にて記憶した画像データをオンラインフォトアルバムのコンテンツとして登録して公開する(Ｓ４０３）。ここで、サーバ装置１０１の制御部２０１は、第１の情報処理装置１０２から送信された指定情報に従って、画像データを登録するオンラインフォトアルバムを決定する。
【００２０】
新規オンラインフォトアルバムへの登録が指定されている場合は、制御部２０１は新規オンラインフォトアルバムを生成しＵＲＬを割り当てた上で、この新規オンラインフォトアルバムに画像データを登録する。次に、サーバ装置１０１において制御部２０１は当該コンテンツを登録したオンラインフォトアルバムに対応するCookieを識別情報として生成する（Ｓ４０４）。そして、生成したCookieを第１の情報処理装置１０２に発行する識別情報送信処理を行う(Ｓ４０５）。
【００２１】
以上の動作により、第１の情報処理装置１０２からサーバ装置１０１に画像データを送信し、この画像データがサーバ装置１０１においてオンラインフォトアルバムのコンテンツとして公開される。そして、当該オンラインフォトアルバムに対応する識別子であるCookieが第１の情報処理装置１０２に記憶される。
【００２２】
次に、図５のフローチャートを参照して、第２の情報処理装置１０３において、オンラインフォトアルバムサービスで公開されているコンテンツを受信する動作を説明する。
まず、第２の情報処理装置１０３の制御部２０１は、コンテンツが登録されているオンラインフォトアルバムを受信するための受信要求を生成する（Ｓ５０１）。この受信要求は、第２の情報処理装置１０３において、ウェブブラウザ機能を利用して当該オンラインフォトアルバムに対応するＵＲＬを介して行われる。
【００２３】
このとき、第２の情報処理装置１０３の制御部２０１は、当該オンラインフォトアルバムに対応するCookieが外部記憶装置２０４に記憶されているかを判定する（Ｓ５０２）。
【００２４】
Ｓ５０２の判定の結果、該当のCookieが外部記憶装置２０４に記憶されていれば、制御部２０１はオンラインフォトアルバムの受信要求に該当のCookieを付加する(Ｓ５０３）。Ｓ５０２の判定処理において、当該オンラインフォトアルバムに対応するCookieが第２の情報処理装置１０３の外部記憶装置２０４に記憶されているのは、第１の情報処理装置１０２と第２の情報処理装置１０３とが同一装置である場合のみである。
【００２５】
つまり、画像データの送信に使用された情報処理装置そのもので当該オンラインフォトアルバム上のコンテンツを受信した場合のみ、Ｓ５０３は実行される。次に、制御部２０１は、作成した受信要求をサーバ装置１０１に送信し（Ｓ５０４）、その結果として当該オンラインフォトアルバムに属するコンテンツのＵＲＬ一覧を受信する（Ｓ５０５）。制御部２０１は、Ｓ５０５で取得したコンテンツのＵＲＬを介して、各コンテンツのデータに関する受信要求をサーバ装置１０１に送出する受信要求送出処理を行う。そして、その結果としてコンテンツデータを受信する（Ｓ５０６）。
【００２６】
次に、図６のフローチャートを参照して、Ｓ５０４に関連して、第２の情報処理装置１０３から送信された受信要求をサーバ装置１０１で受信する動作を説明する。
サーバ装置１０１において、制御部２０１は第２の情報処理装置１０３から送信された受信要求を受信する受信要求受信処理を行う（Ｓ６０１）。
【００２７】
Ｓ６０１にて受信した受信要求に従って、第２の情報処理装置１０３の制御部２０１では閲覧回数制御処理を実行する。閲覧回数制御処理は、Ｓ６０２〜Ｓ６０６に挙げた処理である。以下に順を追って説明する。
【００２８】
サーバ装置１０１の制御部２０１は、受信した受信要求にCookieが付加されているかを判定する(Ｓ６０２）。Ｓ６０２の判定結果において、受信要求にCookieが付加されていないと判定されるのは、以下のような場合である。すなわち、オンラインフォトアルバムの受信要求を送信した第２の情報処理装置１０３が、当該オンラインフォトアルバムの作成に使用された第１の情報処理装置１０２とは異なる機器である場合である。この場合は、当該オンラインフォトアルバムの閲覧回数が所定の回数に達しているかを判定する（Ｓ６０３）。
【００２９】
一方で、Ｓ６０２にて、受信した受信要求にCookieが付加されている場合には、Ｓ６０３〜Ｓ６０４の閲覧回数に関する制御をスキップし、処理をＳ６０５に進める。
【００３０】
Ｓ６０３において閲覧回数を判定した結果、所定の回数に達していれば、サーバ装置１０１の制御部２０１は、オンラインフォトアルバムの受信要求に対して当該オンラインフォトアルバムの情報を送信せず処理を終了する。一方、Ｓ６０３の判定において閲覧回数が所定の回数未満である場合には、当該オンラインフォトアルバムの閲覧回数をインクリメントする（Ｓ６０４）。
【００３１】
その後、当該オンラインフォトアルバムに属するコンテンツのＵＲＬ一覧を第２の情報処理装置１０３に送信する(Ｓ６０５）。サーバ装置１０１の制御部２０１は、第２の情報処理装置１０３から送信されたコンテンツの受信要求を受信して、前記コンテンツデータを第２の情報処理装置１０３に送信する（Ｓ６０６）。
【００３２】
また、サーバ装置１０１が第１の情報処理装置１０２を識別するために生成するCookieは、コンテンツ単位で生成されるものであってもよい。この場合、サーバ装置１０１の制御部２０１は、閲覧回数による公開状況の制御をコンテンツ単位で行う。また、第２の情報処理装置１０３からサーバ装置１０１に向けて、閲覧回数が所定の回数に達しているコンテンツに対して受信要求がなされた場合にはコンテンツを送出しない。
【００３３】
本実施形態によれば、オンラインフォトアルバムの閲覧回数制限を実現するにあたり、オンラインフォトアルバム作成や画像データ送信に使用された情報機器を閲覧回数制限から除外することができる。
【００３４】
（第２の実施形態）
本実施形態では、サーバ装置を介してファイルの送受信を行うネットワークサービスシステムについて説明する。以下では、第１の実施形態と同様の部分については説明を省略し、本実施形態に特有の構成について詳細に説明する。
【００３５】
本実施形態におけるネットワークサービスシステムは、第１の実施形態で説明した構成と同じく、サーバ装置１０１とサーバ装置１０１にネットワーク接続された第１の情報処理装置１０２および第２の情報処理装置１０３で構成される。サーバ装置１０１と第１の情報処理装置１０２および第２の情報処理装置１０３の構成も、第１の実施形態で説明したものと同じである。
【００３６】
本実施形態におけるネットワークサービスシステムでは、図１において、サーバ装置１０１はファイル送受信サービスを提供し、第１の情報処理装置１０２から送信されたファイルデータを記憶する。また、第２の情報処理装置１０３からの受信要求に従って、当該ファイルデータを送信するファイルデータ送信処理を行う。第２の情報処理装置１０３は、当該ファイルデータを受信するとサーバ装置１０１に受信完了通知を送信する。サーバ装置１０１は、この受信完了通知を受信すると、記憶領域から該当ファイルを削除し、記憶領域の有効活用を図る。
【００３７】
次に、図７のフローチャートを参照して、第１の情報処理装置１０２において、ファイルデータをサーバ装置１０１に送信する動作を説明する。
まず、第１の情報処理装置１０２の制御部２０１はファイルデータを外部記憶装置２０４から読み出し、サーバ装置１０１に送信する（Ｓ７０１）。次に、第１の情報処理装置１０２の制御部２０１は、Ｓ７０１で送信したファイルデータに対応してサーバ装置から送信されたＵＲＬを受信し(Ｓ７０２）、このＵＲＬを外部記憶装置２０４に記憶する（Ｓ７０３）。
【００３８】
Ｓ７０１およびＳ７０２に関連して、第１の情報処理装置１０２から送信されたファイルデータをサーバ装置１０１で受信する動作を図８のフローチャートを参照して説明する。
まず、サーバ装置１０１において、制御部２０１は第１の情報処理装置１０２から送信されたファイルデータを受信し(Ｓ８０１）、外部記憶装置２０４に記憶する（Ｓ８０２）。次に、サーバ装置１０１の制御部２０１は、Ｓ８０２にて記憶したファイルデータに対してアクセス可能なＵＲＬを生成し(Ｓ８０３）、生成したＵＲＬを第１の情報処理装置１０２に送信する（Ｓ８０４）。
【００３９】
以上の動作により、第１の情報処理装置１０２からサーバ装置１０１にファイルデータを送信し、当該ファイルデータがサーバ装置１０１において公開される。また、当該ファイルデータに対応する識別子であるＵＲＬが第１の情報処理装置１０２の識別情報記憶装置として設けられている外部記憶装置２０４に識別情報として記憶される。
【００４０】
次に、サーバ装置１０１において、ファイル送受信サービスで公開されているファイルデータを、第２の情報処理装置１０３が受信する動作を図９のフローチャートを参照して説明する。
まず、第２の情報処理装置１０３の制御部２０１は、ファイルデータを受信するための受信要求を送出し(Ｓ９０１）、当該ファイルデータを受信する（Ｓ９０２）。この受信要求は、当該ファイルデータに対応するＵＲＬを介して行われる。
【００４１】
次に、受信対象ファイルデータが第２の情報処理装置１０３から送信されたものかを判定する（Ｓ９０３）。これは、第２の情報処理装置１０３の外部記憶装置２０４に、当該ファイルデータのＵＲＬが記憶されているかにより判定されるものである。Ｓ９０３の判定処理において、当該ファイルデータに対応するＵＲＬが第２の情報処理装置１０３の外部記憶装置２０４に記憶されているのは、第１の情報処理装置１０２と第２の情報処理装置１０３とが同一装置である場合のみである。
【００４２】
つまり、Ｓ９０３では、ファイル送信サービスに公開されたファイルデータを当該ファイルデータの送信に使用された情報処理装置そのもので受信したかを判定する。Ｓ９０３の判定の結果、当該ファイルデータのＵＲＬが第２の情報処理装置１０３の外部記憶装置２０４に記憶されていない場合のみ、制御部２０１は前記ファイルの受信完了通知をサーバに送信する（Ｓ９０４）。
【００４３】
Ｓ９０４の処理に関連して、第２の情報処理装置１０３から送信された受信要求をサーバ装置１０１で受信する動作を図１０のフローチャートを参照して説明する。
まず、サーバ装置１０１において、制御部２０１は第２の情報処理装置１０３から送信された受信要求を受信する（Ｓ１００１）。
【００４４】
次に、サーバ装置１０１の制御部２０１は、受信した受信要求に対応するファイルデータを第２の情報処理装置１０３に送出する。次に、第２の情報処理装置１０３の制御部２０１では、Ｓ１００３およびＳ１００４において、受信完了制御処理を実行する。サーバ装置１０１の制御部２０１は、送出したファイルの受信完了通知を第２の情報処理装置１０３から受信したかを判定する（Ｓ１００３）。第２の情報処理装置１０３から送信された受信完了通知を受信すると、サーバ装置１０１の制御部２０１は当該ファイルデータを外部記憶装置２０４から削除する(Ｓ１００４）。
【００４５】
本実施形態によれば、ファイルの送信が完了すると共にサーバ装置から前記ファイルを削除することができるため、記憶領域を有効活用することができる。
【００４６】
以上、本発明をその好適な実施形態に基づいて詳述してきたが、本発明はこれら特定の実施形態に限られるものではなく、この発明の要旨を逸脱しない範囲の様々な形態も本発明に含まれる。前述の実施形態の一部を適宜組み合わせてもよい。
【００４７】
また、前述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００４８】
したがって、本発明の機能処理をコンピュータで実現するために、コンピュータに供給、インストールされるプログラムコード自体も本発明を実現するものである。つまり、本発明の機能処理を実現するためのコンピュータプログラム自体も本発明に含まれる。
その場合、プログラムの機能を有していれば、オブジェクトコード、インタプリタにより実行されるプログラム、ＯＳに供給するスクリプトデータ等、プログラムの形態を問わない。
【００４９】
プログラムを供給するための記録媒体としては、例えば、ハードディスク、磁気テープ等の磁気記録媒体、光／光磁気記憶媒体、不揮発性の半導体メモリでもよい。
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【図１】
2012146014.tif 000003
【図２】
2012146014.tif 000004
【図３】
2012146014.tif 000005
【図４】
2012146014.tif 000006
【図５】
2012146014.tif 000007
【図６】
2012146014.tif 000008
【図７】
2012146014.tif 000009
【図８】
2012146014.tif 000010
【図９】
2012146014.tif 000011
【図１０】
2012146014.tif 000012